(57)【要約】【課題】ミネラル蒸気を用いて簡単かつ十分にミネラルを吸収することを実現するミネラル蒸気生成装置を提供する。【解決手段】ミネラル蒸気生成装置１は、溶岩板２０と、溶岩板２０の下に設けられた鉱物層１１と、鉱物層１１の下部に設けられたヒータ１２と、溶岩板２０とヒータ１２との間に設けられた給水管１３と、を有している。ミネラル蒸気生成装置１は、給水管１３から水を供給し、当該水をヒータ１２により蒸発させ、その蒸気を鉱物層１１と溶岩板２０を通過させ溶岩板２０の外側に放出するように構成されている。ミネラル蒸気生成装置１は、給水管１３から供給される水の供給量、又はヒータ１２の温度の少なくともいずれかを制御して、鉱物層１１の温度を４０℃以上  １００℃以下の範囲に調整可能に構成されている。【選択図】図１
2018027220.tif 000002
【特許請求の範囲】
【請求項１】
重し板と、
前記重し板の下に設けられた鉱物層と、
前記鉱物層の下部に設けられたヒータと、
前記重し板と前記ヒータとの間に設けられた給水管と、を有し、
前記給水管から水を供給し、当該水を前記ヒータにより蒸発させ、その蒸気を前記鉱物層と前記重し板を通過させ前記重し板の外側に放出するように構成され、
前記給水管から供給される水の供給量、又は前記ヒータの温度の少なくともいずれかを制御して、前記鉱物層の温度を４０℃以上１００℃以下の範囲に調整可能に構成された、ミネラル蒸気生成装置。
【請求項２】
前記鉱物層の鉱物を収容する容器を有し、
前記容器は、装置本体から取り外し自在に構成されている、請求項１に記載のミネラル蒸気生成装置。
【請求項３】
前記鉱物層には、クオーツ、ローズクオーツ、トルマリン、ベッコウ、メノウタイガーアイ、マラカルト、レチルクオーツ、タイライト、アマゾナイト、ターコイズ、ラピスラズリ、タンブル、ホークアイタンブルのうちの１種類以上の鉱物が含まれる、請求項１又は２に記載のミネラル蒸気生成装置。
【請求項４】
前記重し板は、溶岩板である、請求項１〜３のいずれかに記載のミネラル蒸気生成装置。
【請求項５】
請求項１〜４のいずれかに記載のミネラル蒸気生成装置を有し、
前記ミネラル蒸気生成装置によって生成されたミネラル蒸気を室内に供給可能に構成された、ミネラル蒸気室。
【請求項６】
前記ミネラル蒸気生成装置が床部に設けられ、前記重し板が床部の床面を構成している、請求項５に記載のミネラル蒸気室。
【請求項７】
重し板と、前記重し板の下に設けられた鉱物層と、前記鉱物層の下部に設けられたヒータと、前記重し板と前記ヒータとの間に設けられた給水管と、を有するミネラル蒸気生成装置を用いて、ミネラル蒸気室にミネラル蒸気を供給する方法であって、
前記重し板の下に配置する鉱物層の鉱物の種類を選択する工程と、
前記給水管から前記鉱物層に水を供給し、当該水を前記ヒータにより蒸発させ、その蒸気を前記鉱物層と前記重し板を通過させ前記重し板の外側に放出する工程と、
前記給水管から供給される水の供給量、又は前記ヒータの温度の少なくともいずれかを制御して、前記鉱物層の温度を４０℃以上１００℃以下の範囲に調整する工程と、を有する、ミネラル蒸気の供給方法。
【発明の詳細な説明】
【技術分野】
【０００１】
本発明は、ミネラル蒸気生成装置、ミネラル蒸気室及びミネラル蒸気の供給方法に関する。
【背景技術】
【０００２】
近年、体の機能回復や機能改善を図る方法の一つとして体内にクオーツなどのミネラル（鉱物）を摂取する方法が注目されている。
【発明の概要】
【発明が解決しようとする課題】
【０００３】
しかしながら、上述のミネラルの摂取は、一般的にミネラルを含有する飲料やサプリメントを摂取することにより行われており、例えば個人の味の好み等により摂取できない、または十分に摂取できないこともあり得る。
【０００４】
そこで、発明者は、ミネラルを含有するミネラル蒸気を用いて体からミネラルを吸収することを考えている。しかし、それを実現する装置や方法は今までに考えられていなかった。
【０００５】
本出願はかかる点に鑑みてなされたものであり、ミネラル蒸気を用いて簡単かつ十分にミネラルを吸収することを実現可能なミネラル蒸気生成装置及び、そのミネラル蒸気生成装置を備えたミネラル蒸気室及びミネラル蒸気の供給方法を提供することをその目的の一つとする。
【課題を解決するための手段】
【０００６】
本発明者らは、鋭意検討した結果、所定の構造のミネラル蒸気生成装置によりミネラル蒸気を好適に生成できることを見出し、本発明を完成するに至った。
【０００７】
すなわち、本発明は以下の態様を含む。
（１）重し板と、前記重し板の下に設けられた鉱物層と、前記鉱物層の下部に設けられたヒータと、前記重し板と前記ヒータとの間に設けられた給水管と、を有し、前記給水管から水を供給し、当該水を前記ヒータにより蒸発させ、その蒸気を前記鉱物層と前記重し板を通過させ前記重し板の外側に放出するように構成され、前記給水管から供給される水の供給量、又は前記ヒータの温度の少なくともいずれかを制御して、前記鉱物層の温度を４０℃以上１００℃以下の範囲に調整可能に構成された、ミネラル蒸気生成装置。
（２）前記鉱物層の鉱物を収容する容器を有し、前記容器は、装置本体から取り外し自在に構成されている、（１）に記載のミネラル蒸気生成装置。
（３）前記鉱物層には、クオーツ、ローズクオーツ、トルマリン、ベッコウ、メノウタイガーアイ、マラカルト、レチルクオーツ、タイライト、アマゾナイト、ターコイズ、ラピスラズリ、タンブル、ホークアイタンブルのうちの１種類以上の鉱物が含まれる、（１）又は（２）に記載のミネラル蒸気生成装置。
（４）前記重し板は、溶岩板である、（１）〜（３）のいずれかに記載のミネラル蒸気生成装置。
（５）（１）〜（４）のいずれかに記載のミネラル蒸気生成装置を有し、前記ミネラル蒸気生成装置によって生成されたミネラル蒸気を室内に供給可能に構成された、ミネラル蒸気室。
（６）前記ミネラル蒸気生成装置が床部に設けられ、前記重し板が床部の床面を構成している、（５）に記載のミネラル蒸気室。
（７）重し板と、前記重し板の下に設けられた鉱物層と、前記鉱物層の下部に設けられたヒータと、前記重し板と前記ヒータとの間に設けられた給水管と、を有するミネラル蒸気生成装置を用いて、ミネラル蒸気室にミネラル蒸気を供給する方法であって、前記重し板の下に配置する鉱物層の鉱物の種類を選択する工程と、前記給水管から前記鉱物層に水を供給し、当該水を前記ヒータにより蒸発させ、その蒸気を前記鉱物層と前記重し板を通過させ前記重し板の外側に放出する工程と、前記給水管から供給される水の供給量、又は前記ヒータの温度の少なくともいずれかを制御して、前記鉱物層の温度を４０℃以上１００℃以下の範囲に調整する工程と、を有する、ミネラル蒸気の供給方法。
【発明の効果】
【０００８】
本発明によれば、ミネラル蒸気を用いて体内にミネラルを簡単かつ十分に吸収することを実現できる。
【図面の簡単な説明】
【０００９】
【図１】ミネラル蒸気生成装置の構成例を示す模式図である。
【図２】ミネラル蒸気生成装置の積層構造の拡大説明図である。
【図３】リラクゼーション室の床部の構造を示す模式図である。
【図４】他のリラクゼーション室の床部の構造を示す模式図である。
【図５】給水管及びヒータの配置パターンを平面から見た説明図である。
【図６】容器を有するミネラル蒸気生成装置の構成例を示す模式図である。
【図７】砂状溶岩層を有するミネラル蒸気生成装置の構成例を示す模式図である。
【図８】第１の砂状溶岩層を拡大した模式図である。
【図９】第２の砂状溶岩層を拡大した模式図である。
【図１０】ミネラル蒸気生成装置の積層構造の拡大説明図である。
【図１１】ミネラル蒸気生成装置の他の構成例を示す模式図である。
【発明を実施するための形態】
【００１０】
以下、図面を参照して、本発明の好ましい実施の形態について説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明はこの実施の形態に限定されるものではない。
【００１１】
（第１の実施の形態）
図１は、本実施の形態にかかるミネラル蒸気生成装置１の構成の概略を示す模式図である。
【００１２】
ミネラル蒸気生成装置１は、図１に示すように例えば溶岩層１０と、溶岩層１０の直下に設けられた鉱物層１１と、鉱物層１１の下部に設けられたヒータ１２と、溶岩層１０とヒータ１２との間に設けられた給水管１３と、鉱物層１１の温度を調整する温度制御部１４とを有している。
【００１３】
溶岩層１０は、複数の重し板としての溶岩板２０が敷設されて構成されている。溶岩板２０は、例えば方形に加工され、例えば２０ｍｍ以上４０ｍｍ以下、好ましくは３０ｍｍ程度の厚みを有している。溶岩板２０には、溶岩の地表における上から例えば２層目か３層目の層を取り出して形成された空隙があって通気性があるものが用いられている。
【００１４】
鉱物層１１は、例えば１種類以上の鉱物から構成されている。鉱物層１１には、例えばクオーツ、ローズクオーツ、トルマリン、ベッコウ、メノウタイガーアイ、マラカルト、レチルクオーツ、タイライト、アマゾナイト、ターコイズ、ラピスラズリ、タンブル、ホークアイタンブルのうちの１種類以上、好ましくは５種類以上の鉱物が含まれている。鉱物層１１の鉱物には、上記鉱物の種類の中から、体の機能回復や機能改善等の目的に適した鉱物が選択されている。鉱物層１１の鉱物には、例えば３ｃｍ以上１０ｃｍ以下程度の大きさのものが用いられる。鉱物層１１は、例えば３０ｍｍ〜５０ｍｍ、好ましくは４０ｍｍ程度の厚みを有している。なお、この鉱物層１１には、鉱物以外のものが含まれていてもよい。
【００１５】
図１及び図２に示すヒータ１２は、鉱物層１１の下部に設けられている。ヒータ１２は、例えば５ｃｍ幅程度の線状に配置されていてもよいし、面状に配置されていてもよい。ヒータ１２は、給電により１００℃以上に発熱できる。
【００１６】
給水管１３は、鉱物層１１の下、或いは鉱物層１１内に設けられ、図１に示す例えば水道などの給水源３０に通じている。給水管１３は、例えば直径１０ｍｍ程度の金属管からなり、当該管に沿って複数の給水穴１３ａが形成されている。給水穴１３ａは、例えば給水管１３の上半分の位置に上に向けて形成されている。
【００１７】
温度制御装部１４は、図１に示すように例えばヒータ２１への給電量を制御するヒータ制御部４０と、給水管１３の給水量を制御可能なバルブ４１と、バルブ４１の開放量又は開放時間を制御するバルブ制御部４２と、ヒータ制御部４０やバルブ制御部４２の制御を行う全体制御部４３等から構成されている。全体制御部４３は、例えばコンピュータであり、例えばヒータ１２の温度設定値等を手動で入力可能な温度設定入力部５０と、給水管１３の給水量の設定値等を手動で入力可能な給水量設定入力部５１を有している。全体制御部４３は、例えば温度設定入力部５０に入力された温度設定値に基づいてヒータ制御部４０を制御し、ヒータ制御部４０によりヒータ１２の温度を制御できる。また全体制御部４３は、例えば給水量設定入力部５１に入力された給水量設定値に基づいてバルブ制御部４２を制御し、バルブ制御部４２によりバルブ４１の開放量又は開放時間を制御して給水管１３の給水量を制御できる。この結果、温度制御装置１４は、給水管１３から排出される水の排出量、又はヒータ１２の温度の少なくともいずれかを制御して、鉱物層１１の温度を４０℃以上１００℃以下の範囲、好ましく６０℃以上８０℃以下に調整することができる。
【００１８】
ミネラル蒸気生成装置１の作動時には、温度制御装置１４において設定された流量（例えば２〜４ｃｌ／ｈ）の水が給水管１３内を流れ、給水管１３の給水穴１３ａから排出される。また、温度制御装置１４において設定された温度（例えば１１０℃程度）にヒータ１２が制御される。図２に示すように給水管１３から鉱物層１１の周辺に水が供給され、当該水がヒータ１２により蒸発し、その蒸気が鉱物層１１を通って上昇する。このとき、鉱物層１１の鉱物のミネラル成分が蒸気の水分子に付着して所望のミネラル蒸気が生成される。このとき、ミネラル蒸気は、上部に重しとしての溶岩層１０があるため、直ちに溶岩層１０を通過せずに鉱物層１１に一時的に滞留する。鉱物層１１におけるミネラル蒸気の温度は、４０℃以上１００℃以下の範囲、好ましく６０℃以上８０℃以下になる。その後ミネラル蒸気は、例えば溶岩層１０の溶岩板２０同士の間の隙間や、溶岩板２０の内部を通って上方に放出される。
【００１９】
本実施の形態によれば、上記構成のミネラル蒸気生成装置１によりミネラル蒸気を好適に生成できるので、ミネラル蒸気を用いて所望のミネラルを簡単かつ十分に体内に吸収することを実現できる。また、鉱物層１１の温度が、４０℃以上１００℃以下の範囲に調整されるので、雑菌を滅菌しつつ、水分子へのミネラル成分の付着を促進し、ミネラル蒸気を適切に生成できる。特に８０℃以上であればほぼすべての菌類やウイルス類が死滅する。なお、鉱物層１１の温度が４０℃未満の場合には、十分なミネラル蒸気の発生や十分な滅菌が困難となる。また水分がある限り、鉱物層１１の温度が１００℃を超えたことはない。
【００２０】
鉱物層３１には、クオーツ、ローズクオーツ、トルマリン、ベッコウ、メノウタイガーアイ、マラカルト、レチルクオーツ、タイライト、アマゾナイト、ターコイズ、ラピスラズリ、タンブル、ホークアイタンブルのうちの１種類以上の鉱物が含まれるので、人体に有用なミネラルを含むミネラル蒸気を発生させ、体の機能回復、機能改善等を図ることがきる。
【００２１】
ミネラル蒸気生成装置１は、スタンドアローンのものであってもよいし、施設の設備として組み込まれたものであってもよい。例えば図３に示すようにミネラル蒸気生成装置１を室内の床部６０に設置して、ミネラル蒸気室としてのリラクゼーション室６１を構成するようにしてもよい。リラクゼーション室６１とは、運動を行うことを目的としたいわゆるエクササイズスタジオを除くものとしてもよい。なお、エクササイズスタジオには、ヨガスタジオ、ストレッチスタジオ、ダンススタジオ、ピラティススタジオ、有酸素運動スタジオ、ダイエットスタジオが含まれる。
【００２２】
かかる場合、溶岩層１０の溶岩板２０は、床部６０の床面６０ａに縦横に並べて配置されている。また、溶岩板２０は、図４に示すように相対的に通気性の高い第１の溶岩板７０と、相対的に通気性の低い第２の溶岩板７１の２種類を有していてもよい。この場合、第１の溶岩板７０には、溶岩の地表において上から３層目の層から取り出した岩密度が高く空隙率が低いものが用いられている。第２の溶岩板７１には、溶岩の地表における上から２層目の層から取り出した岩密度が低く空隙率が高いものが用いられている。第１の溶岩板７０と第２の溶岩板７１は、同じ大きさの方形に加工されており、リラクゼーション室６１の床面６０ａに同程度の割合で敷設されている。第１の溶岩板７０と第２の溶岩板７１は、例えば交互に市松模様状に配置されている。
【００２３】
給水管１３は、例えば図５に示すようにリラクゼーション室６１の床面６０ａの面内において所定のパターン、例えば複数本の給水管１３が平行に並んだパターンに配置されている。
【００２４】
かかる例によれば、リラクゼーション室６１において、人がミネラル蒸気を用いてミネラルを簡単かつ十分に吸収することができる。なお、ミネラル蒸気生成装置１は、必ずしも床部６０に設ける必要はなく、室の側壁部や天井部に設けてもよい。
【００２５】
また、溶岩板２０は、相対的に通気性の高い第１の溶岩板７０と、相対的に通気性の低い第２の溶岩板７１を有するので、鉱物層１１において蒸気を適切に滞留させつつ、ミネラル蒸気を溶岩板２０を通じて適切にリラクゼーション室６１に放出することができる。
【００２６】
上記実施の形態において、ミネラル蒸気生成装置１が、鉱物層１１の鉱物を収容する容器（カートリッジ）を有し、容器が装置本体に対し取り外し自在に構成されていてもよい。例えば図６に示すように鉱物層１１の鉱物が容器８０に収容されている。容器８０の底は、例えば網状に形成されており、鉱物を保持しつつ水や蒸気を通過させることができる。そして、例えば鉱物を交換する際には、溶岩層１０を外し、ミネラル蒸気生成装置１から容器８０を取り外す。容器８０内の中身を交換して、その容器８０を元の位置に戻す。こうすることにより、ミネラル蒸気生成装置１の鉱物を新しい鉱物に交換したり、鉱物の種類を交換することができる。特に、個人やその個人の症状により機能回復や機能改善に必要なミネラルが異なる場合に、個人やその個人の症状に応じて最適な鉱物を選択して、ミネラル蒸気を生成することができる。
【００２７】
リラクゼーション室６１で用いる場合、例えば室内を複数の領域に分け、その領域ごとに鉱物の種類を変えたりすることもできる。
【００２８】
（第２の実施の形態）
以上の実施の形態で記載したミネラル蒸気生成装置１において、鉱物層１１に加え、その上下に砂状溶岩層を設けてもよい。例えば図７に示すように鉱物層１１の下層に第１の砂状溶岩層１００を設け、鉱物層１１の上層に第２の砂状溶岩層１０１を設けてもよい。
【００２９】
この場合、下から順に第１の砂状溶岩層１００、鉱物層１１、第２の砂状溶岩層１０１及び溶岩板２０からなる積層構造１１０が形成される。
【００３０】
第１の砂状溶岩層１００は、例えば溶岩石を細かく砕き、ふるいにかけて同程度の大きさに揃えたものである。第１の砂状溶岩層１００は、例えば１０ｍｍ以上３０ｍｍ以下、好ましくは２０ｍｍ程度の厚みを有している。第１の砂状溶岩層１００は、例えば図８に示すように相対的に砂状溶岩の粒径が小さい下層１００ａと、相対的に砂状溶岩の粒径が大きい上層１００ｂを有している。下層１００ａの粒径は、例えば２ｍｍ程度以下であり、上層１００ｂの粒径は、例えば５ｍｍ程度である。なお、下層１００ａと上層１００ｂは厳格に分かれている必要はなく、ヒータ１２上に粒径の小さい砂状溶岩を入れて下層１００ａを形成し、その後その下層１００ａの上に粒径の大きい砂状溶岩を入れて上層１００ｂを形成したものであってもよい。
【００３１】
第２の砂状溶岩層１０１は、例えば溶岩石を細かく砕き、ふるいにかけて同程度の大きさに揃えたものである。第２の砂状溶岩層１０１は、例えば５ｍｍ以上１５ｍｍ以下、好ましくは１０ｍｍ程度の厚みを有している。第２の砂状溶岩層１０１は、蒸気を滞留させるため、第１の砂状溶岩層１００よりも厚く形成されている。第２の砂状溶岩層１０１は、例えば図９に示すように相対的に砂状溶岩の粒径が大きい下層１０１ａと、相対的に砂状溶岩の粒径が小さい上層１０１ｂを有している。下層１０１ａの粒径は、例えば５ｍｍ程度であり、上層１０１ｂの粒径は、例えば２ｍｍ以下程度である。第２の砂状溶岩層１０１の厚みと溶岩板２０の厚みの比は、１対２以上１対４以下に設定されている。
【００３２】
ヒータ１２は、第１の砂状溶岩層１００の下部に設けられている。給水管１３は、第１の砂状溶岩層１００と鉱物層１１との間に設けられている。
【００３３】
リラクゼーション室６１においてミネラル蒸気生成装置１を作動させた際には、図１０に示すように給水管１３から第１の砂状溶岩層１００に水が排出され、当該水がヒータ１２により蒸発し、その蒸気が鉱物層１１を通って上昇する。このとき、鉱物層１１の鉱物のミネラル成分が蒸気の水分子に付着してミネラル蒸気が生成される。鉱物層１１の温度は、例えば４０℃以上１００℃以下、好ましくは６０℃〜８０℃程度となる。鉱物層１１を通過したミネラル蒸気は第２の砂状溶岩層１０１で滞留する。そして、第２の砂状溶岩層１０１のミネラル蒸気は、溶岩板２０を通って外側（リラクゼーション室６１）に放出される。このときのミネラル蒸気により、床面６０ａとなる溶岩板２０の表面の温度は４３℃〜４４℃程度になり、リラクゼーション室６１の湿度は、６０％〜７０％になり、リラクゼーション室６１の温度が３８℃〜４０℃程度となる。また、温められた溶岩層１００、１０１及び溶岩板２０からはリラクゼーション室６１内に遠赤外線が放射される。こうして、リラクゼーション室６１内が、遠赤外線の放射と共に、ミネラル蒸気雰囲気となり、リラクゼーション室６１が所定の温度及び湿度の所定の雰囲気に調整される。
【００３４】
本実施の形態によれば、ミネラル蒸気生成装置１によりミネラル蒸気を好適に生成できる。また第１の砂状溶岩層１００、第２の砂状溶岩層１０１及び溶岩板２０から遠赤外線が放射されるので、体を深部から温める効果もある。また、鉱物層１１の温度を４０℃以上１００℃以下の範囲に調整するので、鉱物層１１において滅菌が行われる。この結果、鉱物層１１における細菌の繁殖を抑制することができる。よって、細菌のないミネラル蒸気を放出でき、ミネラル蒸気生成装置１のメンテナンスの回数を減らしてコストを低減できる。
【００３５】
第２の砂状溶岩層１０１は、相対的に砂状溶岩の粒径が大きい下層１０１ａと、相対的に砂状溶岩の粒径が小さい上層１０１ｂを有しているので、下層１０１ａで鉱物層１１との境界を維持しつつ、上層１０１ｂ上に溶岩板２０を平坦に敷設することができる。
【００３６】
第１の砂状溶岩層１００は、相対的に砂状溶岩の粒径が小さい下層１００ａと、相対的に砂状溶岩の粒径が大きい上層１００ｂを有しているので、給水管１３の水を下層１００ａで十分拡散しつつ保持することができる。この結果、蒸気をヒータ１２により床面全体で効率的かつ斑なく生じさせることができる。
【００３７】
なお、本実施の形態において、鉱物層１１の容器８０（図６に示す）を用いる場合には、容器８０内に、鉱物層１１に加えて第２の砂状溶岩層１０１が収容される。こうすることにより、鉱物の交換を簡単かつ迅速に行うことができる。
【００３８】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００３９】
例えば上記実施の形態における温度制御装置１４の構成はこれに限られず、他の構成を有するものであってもよい。例えば温度制御装置１４は、給水管１３の流量をバルブ４１によって調整していたが、ポンプによって調整してもよい。また、上記実施の形態では、ユーザが手動でヒータ１２の温度設定や給水管１３の流量設定を行っていたが、制御装置１１が、例えばリラクゼーション室６１の温度や湿度が所定の設定温度、設定湿度になるようにヒータ１２やバルブ４１を自動制御してもよい。かかる場合、例えば温度制御装置１４は、図１１に示すようにリラクゼーション室６１に設置された温度センサ１２０と湿度センサ１２１をさらに有し、全体制御部４３が、その温度センサ１２０と湿度センサ１２１の検出値に基づいて、リラクゼーション室６１の温度及び湿度が予め設定しておいた設定温度及び設定湿度になるように、ヒータ１２の温度とバルブ４１の開放量又は開放時間をフィードバック制御してもよい。この場合、温度制御装置１４には、フィードバック制御を行うためのプログラムが記憶され、当該プログラムを実行することによってかかる制御を行ってもよい。
【００４０】
その他、リラクゼーション室６１の床面６０内における第１の溶岩板７０と第２の溶岩板７１の割合や、溶岩板２０の形状、大きさ、給水管１３やヒータ１２の設置パターン等はこれに限られない。また、ミネラル蒸気生成装置１の積層構造１１０は、少なくとも鉱物層１１と溶岩層１０が含まれていればこれに限られない。また、重し板は、溶岩板でなくてもよく、石板やコンクリート板などであってもよい。
【産業上の利用可能性】
【００４１】
本発明によれば、ミネラル蒸気を用いて簡単かつ十分にミネラルを吸収することを実現可能なミネラル蒸気生成装置を提供する際に有用である。
【符号の説明】
【００４２】
１  ミネラル蒸気生成装置
１０  溶岩層
１１  鉱物層
１２  ヒータ
１３  給水管
１４  温度制御装置
２０  溶岩板
６１  リラクゼーション室
【図１】
2018027220.tif 000003
【図２】
2018027220.tif 000004
【図３】
2018027220.tif 000005
【図４】
2018027220.tif 000006
【図５】
2018027220.tif 000007
【図６】
2018027220.tif 000008
【図７】
2018027220.tif 000009
【図８】
2018027220.tif 000010
【図９】
2018027220.tif 000011
【図１０】
2018027220.tif 000012
【図１１】
2018027220.tif 000013
【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
重し板と、
前記重し板の下に設けられた鉱物層と、
前記鉱物層の下部に設けられたヒータと、
前記重し板と前記ヒータとの間に設けられ、給水穴が形成された給水管と、を有し、
前記給水管の給水穴から水を供給し、当該水を前記ヒータにより蒸発させ、その蒸気を前記鉱物層と前記重し板を通過させ前記重し板の外側に放出するように構成され、
前記給水管から供給される水の供給量、又は前記ヒータの温度の少なくともいずれかを制御して、前記鉱物層の温度を４０℃以上１００℃以下の範囲に調整可能に構成された、ミネラル蒸気生成装置。
【請求項２】
前記鉱物層の鉱物を収容する容器を有し、
前記容器は、装置本体から取り外し自在に構成されている、請求項１に記載のミネラル蒸気生成装置。
【請求項３】
前記鉱物層には、クオーツ、ローズクオーツ、トルマリン、ベッコウ、メノウタイガーアイ、マラカルト、レチルクオーツ、タイライト、アマゾナイト、ターコイズ、ラピスラズリ、タンブル、ホークアイタンブルのうちの１種類以上の鉱物が含まれる、請求項１又は２に記載のミネラル蒸気生成装置。
【請求項４】
前記重し板は、溶岩板である、請求項１〜３のいずれかに記載のミネラル蒸気生成装置。
【請求項５】
請求項１〜４のいずれかに記載のミネラル蒸気生成装置を有し、
前記ミネラル蒸気生成装置によって生成されたミネラル蒸気を室内に供給可能に構成された、ミネラル蒸気室。
【請求項６】
前記ミネラル蒸気生成装置が床部に設けられ、前記重し板が床部の床面を構成している、請求項５に記載のミネラル蒸気室。
【請求項７】
重し板と、前記重し板の下に設けられた鉱物層と、前記鉱物層の下部に設けられたヒータと、前記重し板と前記ヒータとの間に設けられ、給水穴が形成された給水管と、を有するミネラル蒸気生成装置を用いて、ミネラル蒸気室にミネラル蒸気を供給する方法であって、
前記重し板の下に配置する鉱物層の鉱物の種類を選択する工程と、
前記給水管の給水穴から前記鉱物層に水を供給し、当該水を前記ヒータにより蒸発させ、その蒸気を前記鉱物層と前記重し板を通過させ前記重し板の外側に放出する工程と、
前記給水管から供給される水の供給量、又は前記ヒータの温度の少なくともいずれかを制御して、前記鉱物層の温度を４０℃以上１００℃以下の範囲に調整する工程と、を有する、ミネラル蒸気の供給方法。
【手続補正２】
【補正対象書類名】明細書
【補正対象項目名】０００７
【補正方法】変更
【補正の内容】
【０００７】
すなわち、本発明は以下の態様を含む。
（１）重し板と、前記重し板の下に設けられた鉱物層と、前記鉱物層の下部に設けられたヒータと、前記重し板と前記ヒータとの間に設けられ、給水穴が形成された給水管と、を有し、前記給水管の給水穴から水を供給し、当該水を前記ヒータにより蒸発させ、その蒸気を前記鉱物層と前記重し板を通過させ前記重し板の外側に放出するように構成され、前記給水管から供給される水の供給量、又は前記ヒータの温度の少なくともいずれかを制御して、前記鉱物層の温度を４０℃以上１００℃以下の範囲に調整可能に構成された、ミネラル蒸気生成装置。
（２）前記鉱物層の鉱物を収容する容器を有し、前記容器は、装置本体から取り外し自在に構成されている、（１）に記載のミネラル蒸気生成装置。
（３）前記鉱物層には、クオーツ、ローズクオーツ、トルマリン、ベッコウ、メノウタイガーアイ、マラカルト、レチルクオーツ、タイライト、アマゾナイト、ターコイズ、ラピスラズリ、タンブル、ホークアイタンブルのうちの１種類以上の鉱物が含まれる、（１）又は（２）に記載のミネラル蒸気生成装置。
（４）前記重し板は、溶岩板である、（１）〜（３）のいずれかに記載のミネラル蒸気生成装置。
（５）（１）〜（４）のいずれかに記載のミネラル蒸気生成装置を有し、前記ミネラル蒸気生成装置によって生成されたミネラル蒸気を室内に供給可能に構成された、ミネラル蒸気室。
（６）前記ミネラル蒸気生成装置が床部に設けられ、前記重し板が床部の床面を構成している、（５）に記載のミネラル蒸気室。
（７）重重し板と、前記重し板の下に設けられた鉱物層と、前記鉱物層の下部に設けられたヒータと、前記重し板と前記ヒータとの間に設けられ、給水穴が形成された給水管と、を有するミネラル蒸気生成装置を用いて、ミネラル蒸気室にミネラル蒸気を供給する方法であって、前記重し板の下に配置する鉱物層の鉱物の種類を選択する工程と、前記給水管の給水穴から前記鉱物層に水を供給し、当該水を前記ヒータにより蒸発させ、その蒸気を前記鉱物層と前記重し板を通過させ前記重し板の外側に放出する工程と、前記給水管から供給される水の供給量、又は前記ヒータの温度の少なくともいずれかを制御して、前記鉱物層の温度を４０℃以上１００℃以下の範囲に調整する工程と、を有する、ミネラル蒸気の供給方法。